(57)【要約】【課題】別途追加の装置を設けることなく、通常の読取条件では読取できない特定画素等（例えば、蛍光インク等を用いて形成された画像等）が原稿画像に含まれているか否かを、より簡便に判定することができる画像処理装置、画像読取装置、画像形成装置、画像処理方法、プログラム、および記録媒体を提供する。【解決手段】画像入力手段７１に対して、原稿画像を読み取る際の読取条件を変更して画像読取を行うように制御する読取制御部７５と、上記変更された読取条件にて読み取られた画像データに基づいて、原稿画像に所定の特定原稿または特定画素が含まれているか否かを判定する原稿種別自動判別部７４とを備えている画像処理装置７０は、通常の読取条件では読取できない特定画素等（例えば、蛍光インク等を用いて形成された画像等）が原稿画像に含まれているか否かを、簡便に判定することができる。【選択図】  図１
2004193781.tif 000002
【特許請求の範囲】
【請求項１】
原稿画像に光を照射して原稿画像の情報を読み取る画像入力手段により読み取られた画像データに対して、所定の処理を施して出力する画像処理装置において、
上記画像入力手段に対して、原稿画像を読み取る際の読取条件を変更して画像読取を行うように制御する読取制御部と、
上記変更された読取条件にて読み取られた画像データに基づいて、原稿画像に所定の特定原稿または特定画素が含まれているか否かを判定する原稿種別自動判別部とを備えていることを特徴とする画像処理装置。
【請求項２】
上記所定の特定原稿または特定画素とは、蛍光着色材を用いて形成されているものであることを特徴とする請求項１に記載の画像処理装置。
【請求項３】
上記画像入力手段により読み取られた画像データに対して施される所定の処理には、シェーディング補正処理が含まれており、
上記読取制御部は、上記シェーディング補正処理を行う際に基準白板を読み取ることにより得られた値を、所定の値よりも小さい値に設定するよう制御することを特徴とする請求項２に記載の画像処理装置。
【請求項４】
上記読取制御部は、上記画像入力手段において原稿画像に照射される光量を弱く設定するよう制御することを特徴とする請求項２に記載の画像処理装置。
【請求項５】
上記読取制御部は、上記画像入力手段における、原稿画像に照射された光の反射光を検知する受光部の受光時間を短く設定するよう制御することを特徴とする請求項２に記載の画像処理装置。
【請求項６】
原稿画像に光を照射して原稿画像の情報を読み取る画像入力手段と、
請求項１〜５項のいずれか１項に記載の画像処理装置とを備えていることを特徴とする画像読取装置。
【請求項７】
上記画像入力手段における、原稿画像に照射された光の反射光を検知する受光部が、所定の階調数よりも高い階調数の画像データを検知することができるように設定されていることを特徴とする請求項６に記載の画像読取装置。
【請求項８】
請求項６または７に記載の画像読取装置と、
上記画像読取装置より出力される画像データに基づいて、記録材上に着色材を用いて画像形成を行う画像形成手段とを備えていることを特徴とする画像形成装置。
【請求項９】
原稿画像に光を照射して原稿画像の情報を読み取る画像入力手段により読み取られた画像データに対して、所定の処理を施して出力する画像処理方法において、
上記原稿画像を読み取る際の読取条件を、
画像入力手段より原稿画像に照射される光量を弱く設定する方法、
画像入力手段における、原稿画像より反射された光を検知する受光部の受光時間を短く設定する方法、
およびシェーディング補正処理をする際に、基準白板を読み取ることにより得た値を、所定の値よりも小さい値に設定する方法のうち、いずれかの方法により変更する工程と、
上記変更された読取条件にて読み取られた画像データに基づいて、所定の特定原稿または特定画素が含まれているか否かを判定する工程とを含むことを特徴とする画像処理方法。
【請求項１０】
請求項９に記載の画像処理方法をコンピューターに実行させるためのコンピュータープログラム。
【請求項１１】
請求項１０に記載のプログラムをコンピューターに実行させるためのコンピュータープログラムを記録した機械読み取り可能な記録媒体。
【発明の詳細な説明】
【０００１】
【発明の属する技術分野】
本発明は、通常の読取条件では読み取ることができない特定画素等（例えば、蛍光着色材）が原稿画像に含まれているか否かを、その特定画素の特徴を用いて判定する画像処理装置、画像読取装置、画像形成装置、画像処理方法、該画像処理方法のコンピュータープログラム、および該プログラムを記録した記録媒体に関するものである。
【０００２】
【従来の技術】
従来、一般に、複写機やプリンタ等の減法混色により形成される画像は、ディスプレイなどの加法混色による出力画像よりも色再現域が狭いとされている。そのため、色再現域を広げたり、色相を改良するために色材の探索がなされたり、また、蛍光インク（蛍光着色材）を用いる等の検討がなされている。
【０００３】
しかし、例えば、蛍光インクを用いて画像が形成されている場合、この蛍光インクにより形成されている画像が、通常のスキャナ等の画像入力手段ではうまく読み取れないという問題があった。
【０００４】
このような問題を解決するために、ハロゲンランプのそばに、紫外光ランプ（ブラックライト）を設けている複写装置等が開示されている（例えば、特許文献１参照）。上記特許文献１に開示されている複写装置の機能を以下に説明する。
【０００５】
まず、複写装置に備えられている画像入力手段において、ハロゲンランプのみを点灯し、原稿画像に光を照射する。次いで、原稿からの反射光をＣＣＤセンサで読み取り画像データを画像メモリに格納する。次に、ハロゲンランプを消灯し紫外光ランプを点灯させ、同様に読み取った画像データを画像メモリに格納する。
【０００６】
ここで、蛍光インクは、短波長の光を吸収して励起され、その後、エネルギー準位が低いレベルに遷移する際に、その差分のエネルギーを可視光として放出する性質を有する。このため、上記紫外光ランプを蛍光インクに照射した場合、可視光領域における発光が起こり、蛍光インクによる画像を認識でき、読み取ることができる。
【０００７】
また、蛍光インク部分の画像データは、濃度の高い情報を持っている。このため、ハロゲンランプを照射して読み取った画像データを、紫外光ランプを照射して読み取った画像データで修正することにより、色濁りを大幅に軽減することができることが示されている。
【０００８】
【特許文献１】
特開平１０−１０７９７０号公報（平成１０年  ４月２４日）
【０００９】
【発明が解決しようとする課題】
しかしながら、上述の特許文献１に開示の技術では、複写装置に別途紫外光ランプを設ける必要があるとともに、ハロゲンランプと紫外光ランプという、２つのランプを制御・校正する必要がある。さらに、装置を使用するユーザーの安全を確保するため、紫外線の漏洩防止策を講じる必要がある。このため、部材や工程が増加し装置のコストが高くなるという問題がある。
【００１０】
したがって、別途追加の装置を設けることなく、より簡便な方法で同様の機能を実現することが求められている。
【００１１】
本発明は、上記の問題点に鑑みなされたものであり、その目的は、別途追加の装置を設けることなく、通常の読取条件では読取できない特定画素等（例えば、蛍光インク等を用いて形成された画像等）が原稿画像に含まれているか否かを、より簡便に判定することができる画像処理装置、画像読取装置、画像形成装置、画像処理方法、プログラム、および記録媒体を提供することにある。
【００１２】
【課題を解決するための手段】
本発明に係る画像処理装置は、上記の課題を解決するために、原稿画像に光を照射して原稿画像の情報を読み取る画像入力手段により読み取られた画像データに対して、所定の処理を施して出力する画像処理装置において、上記画像入力手段に対して、原稿画像を読み取る際の読取条件を変更して画像読取を行うように制御する読取制御部と、上記変更された読取条件にて読み取られた画像データに基づいて、原稿画像に所定の特定原稿または特定画素が含まれているか否かを判定する原稿種別自動判別部とを備えていることを特徴としている。
【００１３】
上記構成によれば、読取制御部が画像入力手段における読取条件を変更するだけで、画像入力手段によって読み取られた原稿画像に、通常の読取条件では読取できない特定原稿または特定画素（例えば、蛍光インク等を用いて形成された画像等）が用いられているか否かを容易に判定することができる。すなわち、上記画像処理装置と画像入力手段とを用いることにより、原稿画像に通常の読取条件では読取できない特定原稿または特定画素が含まれている場合でも、画像入力手段に判定用ランプ（ブラックライト等）を別途設けることなく、この特定原稿または特定画素を確実に読み取ることができる。したがって、判定用ランプ用の制御や校正処理も不要となる。このため、装置のコストを低減することができる。
【００１４】
なお、上記読取制御部が行う読取条件の変更処理としては、例えば、原稿画像を読み取る際にダイナミックレンジが大きくなるように設定する処理が挙げられる。具体的には、▲１▼基準白板の読取値をデフォルトの値より小さくする（シェーディング補正時の処理）、▲２▼原稿画像を照射する光量を抑制する、▲３▼ＣＣＤなどの光電センサの設定条件を変える、等が挙げられるが特に限定されるものではない。
【００１５】
また、本発明に係る画像処理装置は、上記の構成において、さらに、上記所定の特定原稿または特定画素とは、蛍光着色材を用いて形成されているものであることを特徴としている。
【００１６】
上記の構成によれば、読取制御部が画像入力手段における読取条件を変更するだけで、容易に、画像入力手段によって読み取られた原稿画像に蛍光着色材（蛍光インク等）が用いられているか否かを判定することができる。
【００１７】
また、本発明に係る画像処理装置は、上記の構成において、さらに、上記画像入力手段により読み取られた画像データに対して施される所定の処理には、シェーディング補正処理が含まれており、上記読取制御部は、上記シェーディング補正処理を行う際に基準白板を読み取ることにより得られた値を、所定の値よりも小さい値に設定するよう制御することを特徴としている。
【００１８】
上記の構成によれば、余分な判定用ランプを必要とせず、原稿画像に蛍光インクが用いられているか否かを、簡便に判定することができる。
【００１９】
なお、上記読取制御部の処理は、例えば、光電センサ信号の増幅率を変更すること、すなわち、シェーディング補正処理を行う際に用いる係数（定数）を変更することで行われるが、これに限定されるものではない。また、「シェーディング補正処理」とは、画像入力手段に生じる光学的な歪みを取り除くための処理をいう。また、「所定の値よりも小さい値に設定すること」としては、例えば、所定の値（通常の読取条件にて読み込んだ値等）の０．７倍に設定することが挙げられるが、特に限られるものではない。
【００２０】
また、本発明に係る画像処理装置は、上記の構成において、さらに、上記読取制御部は、上記画像入力手段において原稿画像に照射される光量を弱く設定するよう制御することを特徴としている。
【００２１】
上記の構成によれば、余分な判定用ランプを必要とせず、原稿画像に蛍光インクが用いられているか否かを、簡便に判定することができる。
【００２２】
なお、上記読取制御部の処理は、例えば、原稿画像を読み取るために画像入力手段における光源（例えば、露光ランプ等）に与える電圧を小さく変更すること等により行うことができるが、特に限定されるものではない。
【００２３】
また、本発明に係る画像処理装置は、上記の構成において、さらに、上記読取制御部は、上記画像入力手段における、原稿画像に照射された光の反射光を検知する受光部の受光時間を短く設定するよう制御することを特徴としている。
【００２４】
上記の構成によれば、余分な判定用ランプを必要とせず、原稿画像に蛍光インクが用いられているか否かを、簡便に判定することができる。
【００２５】
なお、上記読取制御部の処理は、原稿画像を読み取るために画像入力手段から照射された光が原稿画像によって反射された後、その反射された光を検知する受光部の受光時間を短く設定することにより行われる。
【００２６】
「受光部」としては、例えば、ＣＣＤセンサ等を挙げることができる。また、受光部の受光時間を短くするための方法としては、例えば、ＣＣＤセンサの受光時間を制御するクロックを速くすると共に、原稿走査体（光源・ミラー等）の駆動速度を早くすること等により行うことができるが、特に限定されるものではない。なお、ＣＣＤセンサの場合は、転送時間に余裕のあるものを用いていることを前提とする。すなわち、上記のようにＣＣＤセンサの受光時間を短くした場合、原稿走査体の駆動速度も速くしないと原稿画像を正しく読み込めないおそれがあるためである。例えば、ある行のデータを読み込む際、原稿走査体の駆動速度が変わっていない場合、次の行に移動していないのに、ＣＣＤには次の行として読み込まれる可能性がある。
【００２７】
また、本発明に係る画像読取装置は、上記の課題を解決するために、原稿画像に光を照射して原稿画像の情報を読み取る画像入力手段と、上記いずれかの画像処理装置とを備えていることを特徴としている。
【００２８】
上記の構成によれば、上記画像処理装置では、画像処理装置が画像入力手段における読取条件を変更することによって、画像入力手段により読み取られた原稿画像に通常の読取条件では読取できない所定の特定原稿または特定画素（例えば、蛍光インク等により形成された画像等）が含まれているか否かを容易に判定することが可能となる。すなわち、上記画像読取装置を用いることにより、原稿画像に通常の読取条件では読取できない特定原稿または特定画素が含まれている場合でも、画像入力手段に判定用ランプ（ブラックライト等）を別途に設けることなく、この特定原稿や特定画素を確実に読み取ることができる。したがって、判定用ランプ用の制御や校正処理も不要となる。このため、装置のコストを低減することができる。
【００２９】
また、本発明に係る画像読取装置は、上記の構成において、さらに、上記画像入力手段における、原稿画像に照射された光の反射光を検知する受光部が、所定の階調数よりも高い階調数の画像データを検知することができるように設定されていることを特徴としている。
【００３０】
上記画像読取装置は、所定の階調数より高い階調数の画像データを検知可能なため、通常の画像データ取得と同時に、通常の読取条件では読取できない所定の特定原稿、または所定の特定画素（例えば、蛍光インク等により形成された画像等）が含まれているか否かを容易に判定することが可能となる。すなわち、上記画像読取装置を用いることにより、プレスキャン等の余分な処理を行うことなく、所定の特定原稿または特定画素が含まれているか否かの判別を、より簡便に行うことができ、所定の特定原稿または所定の特定画素（例えば、蛍光インク等）を確実に読み取ることができる。
【００３１】
なお、本発明でいう「所定の階調数」とは、例えば、上記画像入力手段によって読み込まれた画像データに対して、上記画像処理装置がシェーディング補正処理を施した後、出力する際の画像データの階調数（例えば８ビット２５６階調）をいうが、特に限定されるものではない。
【００３２】
また、本発明に係る画像形成装置は、上記の課題を解決するために、上記の画像読取装置と、上記画像読取装置より出力される画像データに基づいて、記録材上に着色材を用いて画像形成を行う画像形成手段とを備えていることを特徴としている。
【００３３】
上記の構成によれば、画像処理装置が読取条件を変更することにより、画像入力手段により読み取られた原稿画像に、通常の読取条件では読取できない所定の特定原稿または特定画素（例えば、蛍光インク等）が含まれているか否かを容易に判定することが可能となる。さらに、この判定結果に基づいて画像を形成する際に、着色材（蛍光インク等も含む）を用いて、記録材（例えば、用紙等）上に、所定の特定原稿また特定画素を含む画像（例えば、蛍光インク等により形成された画像等）を色再現性よく、かつ高画質で形成することができる。
【００３４】
すなわち、上記画像形成装置を用いることにより、原稿画像に通常の読取条件では読取できない特定原稿または特定画素が含まれている場合でも、画像入力手段に判定用ランプ（ブラックライト等）を別途に設けることなく、この特定原稿または特定画素を確実に読み取ることができるとともに、さらに、特定原稿または特定画素を含む画像を色再現性よく、かつ高画質で形成することができる。したがって、判定用ランプ用の制御や校正処理も不要となる。このため、装置のコストを低減することができる。
【００３５】
また、上記画像形成装置は、所定の階調数より高い階調数の画像データを検知可能なため、通常の画像データ取得と同時に、通常の読取条件では読取できない所定の特定原稿または特定画素（例えば、蛍光インク等を用いて形成されている画像等）が含まれているか否かを容易に判定することが可能となる。さらに、この判定結果に基づいて画像を形成する際に、着色材（蛍光インク等を含む）を用いて、所定の特定原稿または特定画素を含む画像を高画質で形成することが可能となる。すなわち、プレスキャン等の余分な処理を行うことなく、所定の特定原稿または特定画素が含まれているか否かの判別を、より簡便に行うことができるとともに、所定の特定原稿または特定画素を含む画像を、色再現性よくかつ高画質の画像を形成することができる。
【００３６】
また、本発明に係る画像処理方法は、上記の課題を解決するために、原稿画像に光を照射して原稿画像の情報を読み取る画像入力手段により読み取られた画像データに対して、所定の処理を施して出力する画像処理方法において、上記原稿画像を読み取る際の読取条件を、画像入力手段より原稿画像に照射される光量を弱く設定する方法、画像入力手段における、原稿画像より反射された光を検知する受光部の受光時間を短く設定する方法、およびシェーディング補正処理をする際に、基準白板を読み取ることにより得た値を、所定の値よりも小さい値に設定する方法のうち、いずれかの方法により変更する工程と、上記変更された読取条件にて読み取られた画像データに基づいて、所定の特定原稿または特定画素が含まれているか否かを判定する工程とを含むことを特徴としている。
【００３７】
上記構成によれば、画像入力手段により読み取られた原稿画像に、例えば、通常の読取条件では読取できない特定原稿や特定画素（例えば、蛍光インク等を用いて形成されている画像等）が含まれているか否かを容易に判定することができる。すなわち、上記画像処理方法を用いることにより、原稿画像に通常の読取条件では読取できない特定原稿または特定画素が含まれている場合でも、画像入力手段に判定用ランプ（ブラックライト等）を別途に設けることなく、この特定原稿または特定画素を確実に読み取ることができる。したがって、判定用ランプ用の制御や校正処理も不要となる。このため、装置のコストを低減することができる。
【００３８】
また、本発明に係るコンピュータープログラムは、上記の課題を解決するために、上記画像処理方法をコンピューターに実行させるためのコンピュータープログラムである。
【００３９】
上記のコンピュータープログラムを用いることにより、原稿読取の際の読取条件を変更するだけで、原稿画像に蛍光インク等の所定の特定画像、または所定の特定画素が用いられているか否かを、より簡便に判定することができる画像処理方法をコンピューターが読み取り、実行することができる。このため、この画像処理方法をより汎用的なものとすることができる。
【００４０】
また、本発明に係る記録媒体は、上記の課題を解決するために、上記プログラムをコンピューターに実行させるコンピュータープログラムを記録した機械読み取り可能な記録媒体である。
【００４１】
上記記録媒体を用いることにより、原稿読取の際の読取条件を変更するだけで、原稿画像に蛍光インク等の所定の特定画像、または所定の特定画素が用いられているか否かを、より簡便に判定することができる上記画像処理方法のプログラムを容易にコンピューターに供給することができる。
【００４２】
【発明の実施の形態】
〔実施の形態１〕
本発明の画像読取装置に関する実施の一形態について図１〜図５に基づいて説明すれば以下のとおりである。本発明の画像処理装置は、画像読取装置に備えられるものであるため、画像読取装置とともに説明する。なお、本発明はこれに限られるものではない。
【００４３】
図１は、本実施の形態に係る画像読取装置８０の構成を示すブロック図である。画像読取装置８０としては、例えば、フラットベッドスキャナ等を挙げることができるが、特に限定されるものではない。図１に示すように、画像読取装置８０は、画像処理装置７０と、画像入力手段７１とを備えている。画像処理装置７０と画像入力手段７１とは接続され、全体として画像読取装置８０を構成している。以下に、まず、画像入力手段７１について詳細に説明する。
【００４４】
画像入力手段７１は、原稿画像に光を照射し、原稿からの反射光像を、ＲＧＢ（Ｒ：赤・Ｇ：緑・Ｂ：青）のアナログ信号として読み取った後、画像処理装置７０へ、入力画像データとして出力するものである。画像入力手段７１は、光源、ミラー、レンズ等の光学系、およびＣＣＤ等を有するスキャナ機構部５０を備えている。
【００４５】
図２は、スキャナ機構部５０の構成を模式的に示す断面図である。スキャナ機構部５０は、原稿台５１、両面自動原稿送り装置（ＲＡＤＦ：Ｒｅｖｅｒｓｉｎｇ  Ａｕｔｏｍａｔｉｃ  Ｄｏｃｕｍｅｎｔ  Ｆｅｅｄｅｒ）５２、画像入力部５３、スキャナ制御部６４を備えている。
【００４６】
原稿台５１は、原稿画像に形成されている画像を読み取る際に、原稿を所定の読取位置に保持するものである。両面自動原稿送り装置５２は、両面に画像が形成されている原稿を、自動で原稿台５１の所定の読取位置まで搬送するためのものである。原稿台５１の上方には、原稿台５１に対して開閉可能な状態で支持され、原稿台５１の面に対して所定の位置関係をもって両面自動原稿送り装置５２が装着されている。
【００４７】
両面自動原稿送り装置５２の具体的な動作は、まず、原稿の一方の面が原稿台５１の所定位置において画像入力部５３に対向するように、原稿を搬送する。次いで、この一方の面の画像読み取りが終了した後に、他方の面が原稿台５１の所定位置において画像入力部５３に対向するように、原稿を反転させて原稿台５１に搬送する。そして、両面自動原稿送り装置５２は、１枚の原稿画像について両面の画像読み取りが終了した後、この原稿を排出し、次の原稿画像についての上述の両面搬送動作を繰り返す。以上の原稿の搬送および表裏反転の動作は、スキャナ機構部５０全体の動作に関連して制御されるものである。
【００４８】
画像入力部５３は、両面自動原稿送り装置５２により原稿台５１上に搬送されてきた原稿、あるいはユーザにより原稿台５１に載置された原稿の画像を読み取るためのものであり、原稿台５１の下方に配置されている。画像入力部５３は、原稿台５１の下面（底面）に沿って平行に往復移動する第１の走査ユニット５６および第２の走査ユニット５７、光学レンズ５４、光電変換素子であるＣＣＤ（Ｃｈａｒｇｅ  Ｃｏｕｐｌｅｄ  Ｄｅｖｉｃｅ）ラインセンサ５５を有している。
【００４９】
第１の走査ユニット５６は、原稿表面を露光する露光ランプ（光源）５８と、原稿からの反射光像を所定の方向に向かって偏向する第１ミラー５９とを有し、原稿台５１の下面に対して、平行に、一定の距離を保ちながら所定の走査速度で、往復移動するものである。第２の走査ユニット５７は、第１の走査ユニット５６の第１ミラー５９により偏向された原稿からの反射光像を、さらに所定の方向に向かって偏向する第２ミラー６０および第３ミラー６１を有し、第１の走査ユニット５６と一定の速度関係を保って、原稿台５１の下面に対して、平行に往復移動するものである。
【００５０】
光学レンズ５４は、第２の走査ユニット５７の第３ミラー６１により偏向された原稿からの反射光像を縮小するとともに、縮小した光像をＣＣＤラインセンサ５５の所定位置に結像させるものである。
【００５１】
ＣＣＤラインセンサ５５は、結像された光像を順次光電変換して電気信号として出力する受光部である。ＣＣＤラインセンサ５５は、白黒画像あるいはカラー画像を読み取り、Ｒ（赤）・Ｇ（緑）・Ｂ（青）の各色成分に色分解したラインデータを出力することのできる３ラインのカラーＣＣＤである。このＣＣＤラインセンサ５５により電気信号に変換された原稿画像データは、さらに、後述する画像処理装置７０に出力されて所定の画像データ処理が施される。
【００５２】
ＣＣＤラインセンサ５５は、スキャナ制御部６４内のＣＣＤ制御部６３により動作が制御されている。また、光源５８は、同じく、スキャナ制御部６４内の光源制御部６２により動作制御されている。このスキャナ制御部６４は、後述する読取制御部７５により動作制御されている。
【００５３】
なお、本実施の形態では、画像入力手段７１におけるスキャナ機構部５０として、両面自動原稿送り装置５２を備える形態のものを示したが、これに限定されるものではなく、自動原稿送り装置（ＡＤＦ：Ａｕｔｏｍａｔｉｃ  Ｄｏｃｕｍｅｎｔ  Ｆｅｅｄｅｒ）を備える形態、これらのいずれも備えず原稿台カバーのみが装着された形態、あるいは、上記２つの原稿走査体（第１の走査ユニット５６および第２の走査ユニット５７）、光学レンズ５４、ＣＣＤラインセンサ５５を有する原稿読み取り系と密着イメージセンサによる読み取り系とを備えた両面原稿同時読み取り装置を備える形態であっても構わない。
【００５４】
次に、画像処理装置７０について詳細に説明する。図１に示すように、画像処理装置７０は、Ａ／Ｄ（アナログ／デジタル）変換部７２、シェーディング補正部７３、原稿種別自動判別部７４、および読取制御部７５を備えている。
【００５５】
画像入力手段７１にてＲＧＢのアナログ信号として読み取られた入力画像データは、画像処理装置７０において、Ａ／Ｄ変換部７２にてデジタル信号に変換された後、シェーディング補正部７３、原稿種別自動判別部７４の順で送られ、ＲＧＢのデジタル信号として、パーソナルコンピュータ（不図示）等に対して出力される。
【００５６】
Ａ／Ｄ変換部７２は、ＲＧＢのアナログ信号をデジタル信号に変換し、シェーディング補正部７３に対して送信するものである。シェーディング補正部７３は、Ａ／Ｄ変換部７２より送信されたＲＧＢのデジタル信号に対して、画像入力手段７１における照明系、結像系、撮像系で生じる各種の光学的な歪みを取り除くための、シェーディング補正処理を施すものである。シェーディング補正の詳細については後述する。
【００５７】
原稿種別自動判別部７４は、シェーディング補正部７３において各種の歪みが取り除かれたＲＧＢのデジタル信号（ＲＧＢの反射率信号）を、濃度信号に変換するとともに、画像入力手段７１により読み取られた原稿画像に蛍光インクが含まれているか否かの判定を行うものである。また、原稿種別自動判別部７４は、上記判定結果（原稿種別判定信号）と上記変換されたＲＧＢのデジタル信号とを、その他の装置、コンピューター、またはプリンタ等（不図示）に対して出力する。
【００５８】
読取制御部７５は、Ａ／Ｄ変換部７２、シェーディング補正部７３、原稿種別自動判別部７４の動作を制御するものである。また、読取制御部７５は、画像入力手段７１におけるスキャナ制御部６４の動作を制御するものである。
【００５９】
上述した各処理が施された画像データは、コンピューター、プリンタ等（不図示）に対して出力される。なお、以上の処理は不図示のＣＰＵ（Ｃｅｎｔｒａｌ  Ｐｒｏｃｅｓｓｉｎｇ  Ｕｎｉｔ）により制御される。このＣＰＵは、上記読取制御部７５に設けられていてもよいし、その他の部材に設けられていてもよい。
【００６０】
画像入力手段７１により読み取られた原稿画像に蛍光インクが含まれているか否かの判定を行う際の処理は、以下のように行われる。
【００６１】
原稿画像に蛍光インクが含まれている場合、通常の読取条件では、蛍光インクの部分は読み取ることができない。これは、蛍光インクは発光成分を有するため、原稿に光を照射すると、通常の染料インクや顔料インクの反射スペクトルと比較して蛍光インクの部分は反射率が高くなり、１００％以上となってしまうためである。
【００６２】
そこで、本実施の形態に係る画像読取装置８０では、読取制御部７５が、画像入力手段７１における原稿画像の読取条件を変更するように設定されている。すなわち、読取制御部７５は、原稿画像を読み取る際に、画像入力手段７１におけるダイナミックレンジが大きく設定されるように読取条件を変更する。これは、原稿読み取りの感度が低くなるように読取条件を変更していると換言できる。そして、変更された読取条件に基づき、画像入力手段７１は原稿画像を読み取る。読み取られた原稿画像データは、Ａ／Ｄ変換部７２およびシェーディング補正部７３にて所定の処理を施された後、入力画像データとして原稿種別自動判別部７４に送信され、原稿画像に蛍光インクが含まれているか否かの判定がなされる。
【００６３】
具体的には、図３に示すフローチャートのように処理が行われる。図３は、原稿画像に蛍光インクが含まれているか否かを判定する際の処理を示すフローチャートである。なお、これらの制御はＣＰＵ（不図示）によりなされる。
【００６４】
まず、蛍光インクが含まれている画素の数Ｃｏｕｎｔ（以下、単にＣｏｕｎｔと称する）が０に設定される（ステップ１（Ｓ１）、以下ステップをＳと称する）。次いで、読取制御部７５により読取条件の変更がなされる（Ｓ２）。そして、プレスキャンが開始され、原稿画像の読み取りが行われる（Ｓ３）。続いて、読み取られた画像データにシェーディング補正が施される（Ｓ４）。次に、入力画像データに蛍光インクが含まれているか否かを判定するための判定閾値ＴＨが設定される（Ｓ５）。そして、原稿種別自動判別部７４にて、画像データの値が判定閾値ＴＨより大きいか否かの判定がなされる（Ｓ６）。画像データの値が判定閾値ＴＨより小さいと判定された場合（Ｎｏ）、Ｓ９に移行する。一方、画像データの値が判定閾値ＴＨより大きいと判定された場合（Ｙｅｓ）、画像データの補正が行われ、判定結果がメモリに書き込まれる（Ｓ７）。続いて、Ｃｏｕｎｔ＝Ｃｏｕｎｔ＋１に設定される（Ｓ８）。次いで、全ての画像データの処理が終了したか否かが判断される（Ｓ９）。全ての画像データの処理が終了していないと判断された場合（Ｎｏ）、Ｓ６に戻り、処理が繰り返される。一方、全ての画像データの処理が終了したと判断された場合（Ｙｅｓ）、Ｃｏｕｎｔの値が判定閾値ＴＨｃ（以下、単にＴＨｃと称する）の値より大きいか否か判定される（Ｓ１０）。Ｃｏｕｎｔの値がＴＨｃの値より大きいと判定された場合（Ｙｅｓ）、読取条件がデフォルトに戻され、処理が終了する（Ｓ１１）。一方、Ｓ１０において、Ｃｏｕｎｔの値がＴＨｃの値より大きくないと判定された場合（Ｎｏ）、メモリに格納されているデータがクリアされ（Ｓ１２）、次いでＳ１１に移行し、読取条件がデフォルトに戻され、処理が終了する。
【００６５】
なお、上記フローチャートでは、プレスキャンを行う例を示したが、プレスキャンを行わずに、Ａ／Ｄ変換された後の画像データを画像メモリに格納しておき、この画像データを用いて蛍光インクが用いられているか否かの判定処理、および上記判定処理以降の画像処理を行うようにしてもよい。
【００６６】
また、原稿画像を読み取る際にダイナミックレンジを大きく設定するための方法として、例えば、シェーディング補正時の処理、原稿画像に照射される光量の調整処理、またはＣＣＤの調整処理等を挙げることができるが、特に限定されるものではない。以下に上記３つの各処理ともう１つの他の処理について詳細に説明する。
【００６７】
（１）シェーディング補正時の処理
まず、シェーディング補正時の処理について説明する。
【００６８】
シェーディング補正とは、光源のムラや素子（例えば、ＣＣＤラインセンサ等）の感度のバラツキを補正するための処理であればよく、特に限定されるものではない。具体的には、例えば、原稿読取前に原稿台５１の端にある濃度一様（Ｓ０）な基準白板（図２参照）を読み取っておき、得られた１ライン分のデジタル信号Ｒｅｆ１（ｘ）をラインメモリ（不図示）に記憶しておく。ただし、基準信号にノイズが加わっていると、補正によりノイズが増えるので、複数回読み取って加算平均することが好ましい。記憶したＲｅｆ１（ｘ）で、原稿の読取信号Ｓｏ（ｘ）を割ることにより（数式（１）参照）、光源のムラや素子（例えば、ＣＣＤラインセンサ等）の感度のバラツキを補正できる。この補正により、一様な濃度の原稿を読み取った場合、光源のムラや素子の感度のバラツキを除くことができるため、一様なデジタル信号が得られる（電子写真学会誌、３２（１９９３）、ｐ３７、Ｆｉｇ．１およびｐ４１、Ｆｉｇ．８と数式２〜４）。
【００６９】
通常の読取条件に基づき原稿を読み取った場合（デフォルト）は、以下の数式（１）を用いて画像データ（読取信号）を計算し、シェーディング補正を行う。
【００７０】
【数１】
2004193781.tif 000003
【００７１】
上記数式（１）において、Ｓ（ｘ）は補正後の信号であり、Ｓｏ（ｘ）は読取信号である。また、Ｒｅｆ１（ｘ）は基準白板を読み取った信号であり、ｘは主走査方向の座標である。なお、Ｋ１は定数であり、ここでは、Ｋ１＝２４０（白の基準が２４０）に設定されている。
【００７２】
一方、原稿画像に蛍光インクが含まれているか否かを判定する場合、ＣＣＤラインセンサ５５からの信号を増幅してＡ／Ｄ変換部７２に対して出力する増幅器６５（図５参照）のゲインを、通常の読取条件のほぼ０．７倍に下げた状態で原稿の読み取りを行えるように、読取制御部７５は原稿の読取条件を変更する。そして、画像入力手段７１は変更された読取条件に基づいて原稿を読み取る。続いて、シェーディング補正部７３は、読み込まれた画像データ（読取信号）に対してシェーディング補正を行う。このとき、以下の数式（２）を用いて画像データ（読取信号）を計算し、シェーディング補正を行うことになる。
【００７３】
【数２】
2004193781.tif 000004
【００７４】
上記数式（２）において、Ｋ２は定数であり、ここではＫ２＝１６８（２４０×０．７）に設定されている。なお、本実施の形態では、通常の読取条件と比較して、判定時の読取条件における増幅器６５のゲイン、およびシェーディング補正時の定数を０．７倍に設定しているが、これに特に限定されるものではない。すなわち、蛍光インクの読取信号を読み取れるように増幅器６５のゲインを小さくして、シェーディング補正処理を行う際に、基準白板を読み取ることにより得られる値を、所定の値（例えば、通常の読取条件で得られる値）よりも小さい値に設定できればよい。
【００７５】
（２）原稿画像に照射される光量の調整
次に、原稿画像に照射される光量の調整処理について説明する。通常の読取条件に基づき原稿を読み取る場合に、原稿画像に光を照射する露光ランプ５８に与える電圧をＶ１とし、蛍光インクが用いられているか否かを判定する場合に、露光ランプ５８に与える電圧をＶ２とする。
【００７６】
読取制御部７５は、電圧Ｖ１を与えた場合の光量を１としたとき、光量がほぼ０．７倍となるような電圧Ｖ２を予め求めておき、判定処理の際に露光ランプ５８に与える電圧を変更し、画像入力手段７１における読取条件の変更を行う。この読取条件の変更の際に、読取制御部７５は、スキャナ制御部６４の光源制御部６２（図２参照）に対して、露光ランプ５８に与える電圧を変更するように制御する。
【００７７】
この場合、露光ランプに与える電圧を変更する前に、通常条件で上記数式（１）を用いてシェーディング補正処理を行っておく。これは、電圧を変えた後シェーディング補正は行わないため、多少精度は低下するが、蛍光インクが用いられているか否かを判定し画像データを補正することは可能である。
【００７８】
なお、本実施の形態では、通常の読取条件と比較して、判定時の読取条件における露光ランプ５８の光量がほぼ０．７倍になるように設定しているが、これに特に限定されるものではない。すなわち、蛍光インクの読取信号を読み取れるように露光ランプ５８の光量を小さくして、所定の値（例えば、通常の読取条件で得られる値）よりも小さい値に設定できればよい。
【００７９】
（３）ＣＣＤの調整処理
次いで、ＣＣＤラインセンサ５５の調整処理について説明する。このＣＣＤの調整処理は、読取制御部７５が、スキャナ制御部６４内のＣＣＤ制御部６３（図２参照）に対して、ＣＣＤラインセンサ５５の受光時間を短く設定するように制御することによって行うことができる。
【００８０】
具体的には、蛍光インクが用いられているか否かを判定する場合、読取制御部７５は、通常の読取条件と比較して、ＣＣＤラインセンサ５５の受光時間（蓄積時間）を０．７倍になるように読取条件を変更する。
【００８１】
受光時間を通常の読取条件より短くするには、例えば、受光時間を制御するクロックを速くする方法と共に、原稿走査体（第１の走査ユニット５６および第２の走査ユニット５７）の駆動速度を１／０．７倍速くする方法等が挙げられるが、特に限定されるものではない。なお、ＣＣＤラインセンサ５５は、受光時間を変更しても転送時間に充分余裕のあるものを用いている。
【００８２】
この場合、ＣＣＤラインセンサ５５の受光時間および原稿走査体（第１の走査ユニット５６および第２の走査ユニット５７）の駆動速度を変更する前に、通常条件で上記数式（１）を用いてシェーディング補正処理を行っておく。
【００８３】
なお、本実施の形態では、通常の読取条件と比較して、判定時の読取条件におけるＣＣＤラインセンサ５５の受光時間を０．７倍、原稿走査体（第１の走査ユニット５６および第２の走査ユニット５７）の駆動速度を１／０．７倍に設定しているが、これに特に限定されるものではない。すなわち、蛍光インクの読取信号を読み取れるようにＣＣＤラインセンサ５５の受光時間を小さくすると共に原稿走査体（第１の走査ユニット５６および第２の走査ユニット５７）の駆動速度を速く設定できればよい。
【００８４】
（４）その他の処理：高階調検知可能なＣＣＤの使用
また、上記３つの処理以外にも、例えば、ＣＣＤラインセンサ５５として高階調検知可能なものを用いることにより、原稿画像に蛍光インクが含まれているか否かを判定することもできる。
【００８５】
具体的には、例えば、量子化ビット数として１０ビットのＣＣＤを用い、以下の数式（３）で画像データを計算し、シェーディング補正を行う。
【００８６】
【数３】
2004193781.tif 000005
【００８７】
上記数式（３）において、Ｋ３は定数であり、ここではＫ３＝６７４（≒Ｋ２（１６８）×１０２３÷２５５）に設定されている（定数Ｋ３は固定値で予め設定しておく）。
【００８８】
このようにすることにより、１０ビットのダイナミックレンジが、基準白板によって、上記数式（２）を使用するときとほぼ同じ比率で分割される。これにより、通常インクで形成されている画像データは０〜７１６の範囲で表されることになる。一方、蛍光インクが用いられている画素の画像データは７１７〜１０２３の範囲の値となる。このため、容易に原稿画像に蛍光インクが含まれているか否かを判別することができる。なお、この方法では、プレスキャン、あるいは、Ａ／Ｄ変換後の画像データを格納するメモリは必要ないという利点がある。
【００８９】
この場合は、図４に示すフローチャートのように処理が行われる。図４は、ＣＣＤラインセンサ５５として高階調検知可能なものを用いた場合における、原稿画像に蛍光インクが含まれているか否かの判定の処理を示すフローチャートである。図４に示すように、ＣＣＤラインセンサ５５として高階調検知可能なものを用いる場合、図３のフローチャートにおける、読取条件の変更（Ｓ２）、プレスキャン（Ｓ３）、および読取条件をデフォルトに戻す（Ｓ１１）処理が不要になる。また、Ｓ７において、画像データを補正する処理も行う必要がなくなり、判定結果をメモリに書き込む処理のみとなる。これら以外の処理は図３と同様であるので説明は省略する。
【００９０】
上記のいずれかの処理の後に行う、原稿画像に蛍光インクが用いられているか否かの判定方法（判定処理）は、以下のように行う。ここでは、図３のフローチャートに示した方法の場合について説明する。
【００９１】
判定閾値ＴＨと比較して、判定閾値ＴＨ以上の画素については、蛍光インクが用いられている可能性があると判定し、画像データを補正する。例えば、通常の読取条件と比較して、増幅器６５のゲイン、原稿画像に照射する光量、またはＣＣＤラインセンサ５５の受光時間を０．７倍に設定することにより、原稿読み取りの感度が０．７倍になるように読取条件を変更している場合は、画像データを１／０．７倍する処理を行い、画像データを補正する。これは、本スキャンを行う場合は、通常の読取条件で画像データの読み込みを行うため、この通常の読取条件下での画像データに変換するためである。
【００９２】
そして、補正された画像データと、蛍光インクが含まれているという判定結果（原稿種別判定信号）がメモリに格納される（Ｓ７）。次いで、画素数を計数する（Ｓ８）。次に、全ての画像データに対して上記判定処理が終了した場合（Ｓ９）、蛍光インクが含まれていると判定された画素数の総画素数に対する比率を求め、判定閾値ＴＨｃとの比較が行われる（Ｓ１０）。蛍光インクが含まれていると判定された画素数の総画素数に対する比率が、判定閾値ＴＨｃより大きい場合、原稿画像には蛍光インクが含まれていると判定できる。原稿画像には蛍光インクが含まれていると判定された場合、上記補正されたデータは、本スキャンの際に、各画素の位置に応じて読み出され、データが変換される。
【００９３】
また、例えば、画像形成装置においては、その後、原稿種別判定信号は、出力変換部等（不図示）に出力され、蛍光インクが用いられていると判定されている画素に対して蛍光インクを用いて画像形成を行うよう制御される。
【００９４】
蛍光インクが用いられていると判定された画素数の総画素数に対する比率が、判定閾値ＴＨｃ以下の場合は、原稿画像には蛍光インクが用いられていないと判定される。このため、メモリに格納されている画像データおよび判定結果はクリアされる。
【００９５】
上記したように、本スキャンを行う場合は通常の読取条件で行う。これは、原稿を忠実に再現するためである。
【００９６】
また、図３のＳ６および図４のＳ２４における判定閾値ＴＨは、以下のように設定することができる。
【００９７】
読取条件を変更して判定を行う場合、原稿読み取りの感度を、例えば、目安として通常の読取条件の０．７倍になるように設定する。このため、８ビットのＣＣＤラインセンサ５５を用いる場合には２５５×０．７≒１７９が判定閾値ＴＨの目安となり、１０ビットのＣＣＤラインセンサ５５を用いる場合には１０２３×０．７≒７１６が判定閾値ＴＨの目安となる。
【００９８】
ここで、基準としているのが通常のシェーディング補正を行うときの定数Ｋ１＝２４０ではなく、２５５としているのは、紙自体に蛍光が含まれている場合等、基準白板よりも高い画像データ（読取信号）が得られる場合に対応するためである。また、蛍光が含まれる紙でない部分を検出するには、同様な理由で２５５×０．７（１０ビットのＣＣＤを用いる場合には１０２３×０．７）を基準にする必要がある。なお、総画素数に対する比率の判定閾値ＴＨｃとしては、例えば、０．０３に設定することができるが、特に限定されるものではない。
【００９９】
上記の処理を行った後、原稿画像に蛍光インクが用いられていると判定された場合、例えば、画像形成装置等では、蛍光インクが用いられていると判定された画像データについて、蛍光インク用の色補正テーブルを用いた色補正処理、黒生成下色除去処理を行い、蛍光インクを用いて画像形成が行われることになる。
【０１００】
上述したように、画像読取装置８０では、画像処理装置７０が画像入力手段７１における読取条件を変更することによって、画像入力手段７１により読み取られた原稿画像に通常の読取条件では読取できない蛍光インクが含まれているか否かを容易に判定することができる。すなわち、画像読取装置８０を用いることにより、原稿画像に通常の読取条件では読取できない蛍光インクが含まれている場合でも、画像入力手段７１に判定用ランプ（ブラックライト等）を別途に設けることなく、この蛍光インクを含む画像を確実に読み取ることができる。したがって、判定用ランプ用の制御や校正処理も不要となる。このため、装置のコストを低減することができる。
【０１０１】
また、画像読取装置８０がＣＣＤラインセンサ５５として高階調検知可能なものを有する場合、画像読取装置８０は、所定の階調数より高い階調数の画像データを検知可能である。このため、通常の画像データ取得と同時に、通常の読取条件では読取できない蛍光インクが含まれているか否かを容易に判定することが可能となる。すなわち、プレスキャン等の余分な処理を行うことなく、蛍光インクが含まれているか否かの判別を、より簡便に行うことができ、蛍光インクを確実に読み取ることができる。
【０１０２】
〔実施の形態２〕
本発明の画像形成装置に関する実施形態について、図６〜図８に基づいて説明すれば、以下のとおりである。なお、説明の便宜上、上記実施形態１にて説明した部材と同じ機能を有する部材については、同じ符号を付記し、その説明を省略する。
【０１０３】
図６は、本実施の形態に係る画像形成装置９０の構成を示すブロック図である。画像形成装置９０として、例えば、デジタルカラー複写機等が挙げられるが、特に限定されるものではない。
【０１０４】
図６に示すように、画像形成装置９０は、画像入力手段７１と、画像処理装置１００と、画像出力装置１１４とを備えているものである。また、画像入力手段７１と画像処理装置１００とが接続されているとともに、画像処理装置１００と画像出力装置１１４とが接続されており、全体として画像形成装置９０を構成している。
【０１０５】
画像処理装置１００は、Ａ／Ｄ（アナログ／デジタル）変換部７２、シェーディング補正部７３、原稿種別自動判別部７４、入力階調補正部１０５、領域分離処理部１０６、色補正部１０７、黒生成下色除去部１０８、空間フィルタ処理部１０９、出力階調補正部１１０、階調再現処理部１１１、出力変換部１１２、および読取制御部７５を備えているものである。
【０１０６】
画像入力手段７１は、上述したとおり、例えば、ＣＣＤラインセンサ５５等を備えたスキャナ機構部５０を備えており、原稿からの反射光像を、ＲＧＢ（Ｒ：赤・Ｇ：緑・Ｂ：青）のアナログ信号としてＣＣＤラインセンサ５５にて読み取り、画像処理装置１００に対して出力するものである。
【０１０７】
画像入力手段７１にて読み取られたアナログ信号は、画像処理装置１００内を、Ａ／Ｄ変換部７２にてデジタル信号に変換された後、シェーディング補正部７３、原稿種別自動判別部７４、入力階調補正部１０５、領域分離処理部１０６、色補正部１０７、黒生成下色除去部１０８、空間フィルタ処理部１０９、出力階調補正部１１０、階調再現処理部１１１、出力変換部１１２の順で送られ、ＣＭＹＫ（Ｃ：シアン・Ｍ：マゼンタ・Ｙ：イエロー・Ｋ：ブラック）のデジタルカラー信号として、画像出力装置１１４に対して出力される。
【０１０８】
原稿種別自動判別部１０４は、上述したとおり、シェーディング補正部１０３において、各種の歪みが取り除かれたＲＧＢ信号（ＲＧＢの反射率信号）を、濃度信号等の、画像処理装置１００に採用されている画像処理システムの扱い易い信号に変換するとともに、入力された原稿に蛍光インクが使用されているか否かの判定を行うものである。また、原稿種別自動判別部１０４は、原稿種別判定信号を色補正部１０７、黒生成下色除去部１０８、および出力変換部１１２に送信する。さらに、原稿種別自動判別部７４は、上記判定処理を行う以外に、入力された原稿種別の判定処理、例えば、入力された原稿が文字原稿、文字／印刷写真原稿、文字／印画紙写真原稿、印刷写真原稿、印画紙写真原稿のいずれであるのかを判定する機能を備えていてもよい。
【０１０９】
入力階調補正部１０５は、カラーバランスを整えるとともに、下地濃度の除去、コントラスト等の画質調整処理を施すものである。
【０１１０】
領域分離処理部１０６は、ＲＧＢ信号に基づき、入力画像データ中の各画素を文字領域、網点領域、および写真（印画紙写真）領域のうち、いずれかに分離するものである。また、領域分離処理部１０６は、上記分離結果に基づき、画素がどの領域に属しているかを示す領域識別信号を、色補正部１０７、黒生成下色除去部１０８、空間フィルタ処理部１０９、および階調再現処理部１１１に対して出力するとともに、入力階調補正部１０５より出力された入力信号を、そのまま色補正部１０７に出力する。
【０１１１】
色補正部１０７は、色再現を忠実に実現するために、不要吸収成分を含むＣＭＹ（Ｃ：シアン・Ｍ：マゼンタ・Ｙ：イエロー）色材の分光特性に基づいた色濁りを取り除く処理を行うものである。また、色補正部１０７は、黒生成下色除去部１０８に対して、色補正後のＣＭＹの３色信号を出力する。
【０１１２】
黒生成下色除去部１０８は、色補正後のＣＭＹの３色信号に基づいて黒（Ｋ）信号を生成する黒生成処理、およびもとのＣＭＹ信号から黒生成で得たＫ信号を差し引いて新たなＣＭＹ信号を生成する処理を行うものである。これにより、ＣＭＹの３色信号は、ＣＭＹＫの４色信号に変換される。
【０１１３】
黒生成処理の一例として、例えば、スケルトンブラックによる黒生成を行う方法（一般的方法）がある。この方法では、スケルトンカーブの入出力特性をｙ＝ｆ（ｘ）、入力されるデータをＣ，Ｍ，Ｙ、出力されるデータをＣ’，Ｍ’，Ｙ’，Ｋ’、ＵＣＲ（Ｕｎｄｅｒ  Ｃｏｌｏｒ  Ｒｅｍｏｖａｌ）率をα（０＜α＜１）とすると、黒生成下色除去処理は以下の数式（４）で表わされる。
【０１１４】
【数４】
2004193781.tif 000006
【０１１５】
空間フィルタ処理部１０９は、黒生成下色除去部１０８より出力されるＣＭＹＫ信号の画像データに対して、領域識別信号を基にデジタルフィルタによる空間フィルタ処理を行い、空間周波数特性を補正するものである。この処理によって、出力画像のぼやけ、粒状性劣化等を防ぐことができる。
【０１１６】
階調再現処理部１１１も、空間フィルタ処理部１０９と同様に、ＣＭＹＫ信号の画像データに対して、領域識別信号を基に上記所定の補正処理を施するものである。
【０１１７】
具体的には、例えば、領域分離処理部１０６において文字に分離された領域は、特に黒文字あるいは色文字の再現性を高めるために、空間フィルタ処理部１０９によって行われる空間フィルタ処理における鮮鋭強調処理により、高周波数の強調量が大きくされる。同様に、階調再現処理部１１１においては、高域周波数の再現に適した高解像度のスクリーンにおける二値化または多値化処理が選択される。一方、領域分離処理部１０６において網点領域に分離された領域は、空間フィルタ処理部１０９により、入力網点成分を除去するためのローパス・フィルタ処理を施される。また、領域分離処理部１０６において写真に分離された領域に関しては、階調再現性を重視したスクリーンでの二値化または多値化処理が行われる。
【０１１８】
出力階調補正部１１０は、濃度信号等の信号を画像出力装置１１４の特性値である網点面積率に変換する出力階調補正処理を行うものである。
【０１１９】
出力階調補正部１１０にて所定の処理が行われた後、階調再現処理部１１１は、画像データに対して、最終的に画像を画素に分離し、それぞれの階調を再現できるように処理する階調再現処理（中間調生成）を施す。また、階調再現処理部１１１では、同色系統の濃度の異なるインク（濃インク・淡インク）を用いて印刷する場合、画像データの濃度値に基づいて、淡インクを用いるのか、濃インクを用いるのか、あるいは、両者を用いるのかについて振り分けが行われ、夫々の画像データに対して階調再現処理が行われる。すなわち、階調再現処理部１１１は、出力変換部１１２に対して、Ｃ・Ｍ・Ｙ・Ｋ・ＬＣ（ライトシアン）・ＬＭ（ライトマゼンダ）信号の画像データを出力する。
【０１２０】
出力変換部１１２は、画像出力装置１１４のシステムに応じて、出力画像データを変換するものである。本実施の形態では、例えば、出力変換部１１２は、画像出力装置１１４のヘッド（Ｃ・Ｍ・Ｙ・Ｋなどのインクジェットヘッド）の並びに応じて、出力画像データを変換する。すなわち、画像処理装置１００は、画像出力装置１１４に対して、Ｃ・Ｍ・Ｙ・Ｋ・ＬＣ・ＬＭ・Ｃｆ（蛍光シアン）・Ｍｆ（蛍光マゼンダ）・Ｙｆ（蛍光イエロー）信号の画像データを出力する。
【０１２１】
上述した各処理が施された画像データは、一旦記憶手段に記憶され、所定のタイミングで読み出されて画像出力装置１１４に対して出力される。なお、以上の処理は不図示のＣＰＵにより制御される。
【０１２２】
画像出力装置１１４は、画像処理装置１００から出力される画像データに基づいて、画像を形成する装置であればよく、特に限定されない。画像出力装置１１４は、画像を形成する装置として、例えば、インクジェット記録装置１５０を備えている。インクジェット記録装置１５０としては、例えば、複写機、プリンタ、ファクシミリ、または複合機等が挙げられる。以下にインクジェット記録装置１５０について説明する。
【０１２３】
図７は、画像出力装置１１４におけるインクジェット記録装置１５０の構成を模式的に示す透視斜視図である。このインクジェット記録装置１５０は、印字ヘッド１５１、キャリッジ１５２、搬送ローラ（記録材搬送手段）１５４、ガイドシャフト１５５、保持手段１５６、駆動ベルト１５７、駆動手段（モータ）１５８を備えている。
【０１２４】
印字ヘッド１５１を搭載したキャリッジ１５２は、用紙等の記録材１５３に対して、矢符Ｘ１およびＸ２方向の主走査方向に、相対的に移動可能であり、記録材１５３が、給紙部（不図示）から矢符Ｙの副走査方向に給送されることで画像形成を行う。給紙部に備えられている記録材１５３は、図示しない給紙ローラにより１枚ずつ送り出され、搬送ローラ１５４により印字ヘッド１５１の下方に供給される。記録が終了した記録材１５３は排紙部（不図示）に排出される。
【０１２５】
印字ヘッド１５１は、上記主走査方向に延びるガイドシャフト１５５および保持手段１５６上を摺動自在に支持されているとともに、記録材１５３に対する位置が決められている。また、印字ヘッド１５１は、ガイドシャフト１５５と平行に張架され、駆動手段１５８によって駆動される駆動ベルト１５７によって変位駆動される。
【０１２６】
また、印字ヘッド１５１は、図８に示すように、複数色のインクタンク１６０を備えている。複数色のインクタンク１６０は、Ｋ（ブラック）・ＬＣ（ライトシアン）・ＬＭ（ライトマゼンタ）・Ｃ（シアン）・Ｍ（マゼンタ）・Ｙ（イエロー）よりなる６色の通常インクのインクタンク１６１、およびＣｆ（蛍光シアン）・Ｍｆ（蛍光マゼンダ）・Ｙｆ（蛍光イエロー）よりなる蛍光インクのタンク１６２を備えている。これらのインクは、画像データに応じて、ノズル１５９より記録材１５３上に吐出され、画像が形成される。
【０１２７】
上述したように、画像形成装置９０では、画像処理装置１００が読取条件を変更することにより、画像入力手段７１により読み取られた原稿画像に、通常の読取条件では読取できない蛍光インクが含まれているか否かを容易に判定することが可能となる。さらに、この判定結果に基づいて、画像出力装置１１４により画像を形成する際に、蛍光インク等の着色材を用いて、記録材１５３（例えば、用紙等）上に蛍光インク含む画像を形成することができ、色再現性よく、かつ高画質の画像を出力することができる。
【０１２８】
すなわち、画像形成装置９０を用いることにより、原稿画像に通常の読取条件では読取できない蛍光インクが含まれている場合でも、画像入力手段７１に判定用ランプ（ブラックライト等）を別途に設けることなく、この蛍光インクを含む画像を確実に読み取ることができ、蛍光インクを含む画像を色再現性よく、かつ高画質に形成することができる。したがって、判定用ランプ用の制御や校正処理も不要となる。このため、装置のコストを低減することができる。
【０１２９】
〔実施の形態３〕
本発明の画像形成装置に関する実施形態について説明すれば、以下のとおりである。なお、説明の便宜上、上記実施形態１および２にて説明した部材と同じ機能を有する部材については、同じ符号を付記し、その説明を省略する。
【０１３０】
本発明の画像処理方法は、例えば、コンピューターに実行させるためのコンピュータープログラムを記録した機械読み取り可能な記録媒体に記録することもできる。
【０１３１】
この結果、原稿画像に蛍光インクが含まれているか否かを判定する画像処理方法を行うプログラムを記録した記録媒体を持ち運び自在になり、容易に記録媒体として提供することができる。このため、本発明の画像処理方法は、非常に汎用的なものとなる。
【０１３２】
なお、本実施の形態では、この記録媒体としては、例えば、マイクロコンピューターで処理が行われてもよいため、メモリ（ＲＯＭ、ＲＡＭそのもの）がプログラムメディアであってもよいし、また、外付け可能な外部記憶装置としてプログラム読み取り装置が設けられ、そこに記録媒体を挿入することでプログラムが実行される、読み取り可能なプログラムメディアであってもよい。
【０１３３】
いずれの場合においても、格納されているプログラムは、いわゆるマイクロプロセッサがアクセスすることにより実行される構成であってもよいし、または、いずれの場合もプログラムが読み出された後、読み出されたプログラムが、マイクロコンピューターの図示されていないプログラム記憶エリアにダウンロードされて、そのプログラムが実行される方式であってもよい。なお、このダウンロード用のプログラムは予め本体装置に格納されているものとする。
【０１３４】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する媒体であってもよい。
【０１３５】
また、インターネットを含む通信ネットワークと接続可能なシステム構成がある場合、上記記録媒体は、通信ネットワークからプログラムをダウンロードするように、流動的にプログラムを担持する媒体であってもよい。なお、このように通信ネットワークからプログラムをダウンロードする場合には、そのダウンロード用のプログラムは予め本体装置に格納しておくか、あるいは別の記録媒体からインストールされるものであってもよい。
【０１３６】
また、上記記録媒体は、画像読取装置８０における画像処理装置７０、画像形成装置９０における画像処理装置１００、またはコンピュータシステムに備えられるプログラム読み取り装置等により読み取られることで上述した画像処理方法が実行される。
【０１３７】
ここでいう、コンピュータシステムとしては、フラットベッドスキャナ、フィルムスキャナ、デジタルカメラ等の画像入力手段、所定のプログラムがロードされることにより上記画像処理方法など様々な処理が行われるコンピューター、およびコンピューターの処理結果を表示するＣＲＴディスプレイ、液晶ディスプレイ等の画像表示装置、並びにコンピューターの処理結果を紙などに出力するプリンタ等の出力装置を含んでいることが好ましい。さらには、ネットワークを介してサーバーなどに接続するための通信手段としてのモデムなどが備えられていることがより好ましい。
【０１３８】
上記のコンピュータープログラムを用いることにより、原稿読取の際の読取条件を変更するだけで、原稿画像に蛍光インク等の所定の特定画像または所定の特定画素が含まれているか否かを、より簡便に判定することができる画像処理方法をコンピューターが読み取り、実行することができる。このため、この画像処理方法をより汎用的なものとすることができる。
【０１３９】
また、上記記録媒体を用いることにより、原稿読取の際の読取条件を変更するだけで、原稿画像に蛍光インク等の所定の特定画像、または所定の特定画素が用いられているか否かを、より簡便に判定することができる上記画像処理方法のプログラムを容易にコンピューターに供給することができる。このため、この画像処理方法をより汎用的なものとすることができる。
【０１４０】
本発明は、上述した各実施形態に限定されるものではなく、請求項に示した範囲内で種々の変更が可能であり、異なる実施形態にそれぞれ開示された技術的手段を適宜組み合わせて得られる実施形態についても本発明の技術的範囲に含まれる。
【０１４１】
【発明の効果】
本発明に係る画像処理装置は、以上のように、原稿画像に光を照射して原稿画像の情報を読み取る画像入力手段により読み取られた画像データに対して、所定の処理を施して出力する画像処理装置において、上記画像入力手段に対して、原稿画像を読み取る際の読取条件を変更して画像読取を行うように制御する読取制御部と、上記変更された読取条件にて読み取られた画像データに基づいて、原稿画像に所定の特定原稿または特定画素が含まれているか否かを判定する原稿種別自動判別部とを備えているという構成である。
【０１４２】
それゆえ、読取制御部が画像入力手段における読取条件を変更するだけで、画像入力手段によって読み取られた原稿画像に、通常の読取条件では読取できない特定原稿または特定画素（例えば、蛍光インク等を用いて形成された画像等）が用いられているか否かを容易に判定することができるという効果を奏する。すなわち、上記画像処理装置と画像入力手段とを用いることにより、原稿画像に通常の読取条件では読取できない特定原稿または特定画素が含まれている場合でも、画像入力手段に判定用ランプ（ブラックライト等）を別途設けることなく、この特定原稿または特定画素を確実に読み取ることができる。したがって、判定用ランプ用の制御や校正処理も不要となる。このため、装置のコストを低減することができるという効果を奏する。
【０１４３】
また、本発明に係る画像処理装置は、以上のように、上記所定の特定原稿または特定画素とは、蛍光着色材を用いて形成されているものであるという構成である。
【０１４４】
それゆえ、読取制御部が画像入力手段における読取条件を変更するだけで、容易に、画像入力手段によって読み取られた原稿画像に蛍光着色材（蛍光インク等）が用いられているか否かを判定することができるという効果を奏する。
【０１４５】
また、本発明に係る画像処理装置は、以上のように、上記画像入力手段により読み取られた画像データに対して施される所定の処理には、シェーディング補正処理が含まれており、上記読取制御部は、上記シェーディング補正処理を行う際に基準白板を読み取ることにより得られた値を、所定の値よりも小さい値に設定するよう制御するという構成である。
【０１４６】
それゆえ、余分な判定用ランプを必要とせず、原稿画像に蛍光インクが用いられているか否かを、簡便に判定することができるという効果を奏する。
【０１４７】
また、本発明に係る画像処理装置は、以上のように、上記読取制御部は、上記画像入力手段において原稿画像に照射される光量を弱く設定するよう制御するという構成である。
【０１４８】
それゆえ、余分な判定用ランプを必要とせず、原稿画像に蛍光インクが用いられているか否かを、簡便に判定することができるという効果を奏する。
【０１４９】
また、本発明に係る画像処理装置は、以上のように、上記読取制御部は、上記画像入力手段における、原稿画像に照射された光の反射光を検知する受光部の受光時間を短く設定するよう制御するという構成である。
【０１５０】
それゆえ、余分な判定用ランプを必要とせず、原稿画像に蛍光インクが用いられているか否かを、簡便に判定することができるという効果を奏する。
【０１５１】
また、本発明に係る画像読取装置は、以上のように、原稿画像に光を照射して原稿画像の情報を読み取る画像入力手段と、上記いずれかの画像処理装置とを備えているという構成である。
【０１５２】
それゆえ、上記画像処理装置では、画像処理装置が画像入力手段における読取条件を変更することによって、画像入力手段により読み取られた原稿画像に通常の読取条件では読取できない所定の特定原稿または特定画素（例えば、蛍光インク等により形成された画像等）が含まれているか否かを容易に判定することが可能となるという効果を奏する。すなわち、上記画像読取装置を用いることにより、原稿画像に通常の読取条件では読取できない特定原稿または特定画素が含まれている場合でも、画像入力手段に判定用ランプ（ブラックライト等）を別途に設けることなく、この特定原稿や特定画素を確実に読み取ることができる。したがって、判定用ランプ用の制御や校正処理も不要となる。このため、装置のコストを低減することができるという効果を奏する。
【０１５３】
また、本発明に係る画像読取装置は、以上のように、上記画像入力手段における、原稿画像に照射された光の反射光を検知する受光部が、所定の階調数よりも高い階調数の画像データを検知することができるように設定されているという構成である。
【０１５４】
それゆえ、上記画像読取装置は、所定の階調数より高い階調数の画像データを検知可能なため、通常の画像データ取得と同時に、通常の読取条件では読取できない所定の特定原稿、または所定の特定画素（例えば、蛍光インク等により形成された画像等）が含まれているか否かを容易に判定することが可能となるという効果を奏する。すなわち、上記画像読取装置を用いることにより、プレスキャン等の余分な処理を行うことなく、所定の特定原稿または特定画素が含まれているか否かの判別を、より簡便に行うことができ、所定の特定原稿または所定の特定画素（例えば、蛍光インク等）を確実に読み取ることができるという効果を奏する。
【０１５５】
また、本発明に係る画像形成装置は、以上のように、上記の画像読取装置と、上記画像読取装置より出力される画像データに基づいて、記録材上に着色材を用いて画像形成を行う画像形成手段とを備えているという構成である。
【０１５６】
それゆえ、画像処理装置が読取条件を変更することにより、画像入力手段により読み取られた原稿画像に、通常の読取条件では読取できない所定の特定原稿または特定画素（例えば、蛍光インク等）が含まれているか否かを容易に判定することが可能となる。さらに、この判定結果に基づいて画像を形成する際に、着色材（蛍光インク等も含む）を用いて、記録材（例えば、用紙等）上に、所定の特定原稿また特定画素を含む画像（例えば、蛍光インク等により形成された画像等）を色再現性よく、かつ高画質で形成することができるという効果を奏する。
【０１５７】
すなわち、上記画像形成装置を用いることにより、原稿画像に通常の読取条件では読取できない特定原稿または特定画素が含まれている場合でも、画像入力手段に判定用ランプ（ブラックライト等）を別途に設けることなく、この特定原稿または特定画素を確実に読み取ることができるとともに、さらに、特定原稿または特定画素を含む画像を色再現性よく、かつ高画質で形成することができる。したがって、判定用ランプ用の制御や校正処理も不要となる。このため、装置のコストを低減することができるという効果を奏する。
【０１５８】
また、上記画像形成装置は、所定の階調数より高い階調数の画像データを検知可能なため、通常の画像データ取得と同時に、通常の読取条件では読取できない所定の特定原稿または特定画素（例えば、蛍光インク等を用いて形成されている画像等）が含まれているか否かを容易に判定することが可能となるという効果を奏する。さらに、この判定結果に基づいて画像を形成する際に、着色材（蛍光インク等を含む）を用いて、所定の特定原稿または特定画素を含む画像を高画質で形成することが可能となる。すなわち、プレスキャン等の余分な処理を行うことなく、所定の特定原稿または特定画素が含まれているか否かの判別を、より簡便に行うことができるとともに、所定の特定原稿または特定画素を含む画像を、色再現性よくかつ高画質の画像を形成することができるという効果を奏する。
【０１５９】
また、本発明に係る画像処理方法は、以上のように、原稿画像に光を照射して原稿画像の情報を読み取る画像入力手段により読み取られた画像データに対して、所定の処理を施して出力する画像処理方法において、上記原稿画像を読み取る際の読取条件を、画像入力手段より原稿画像に照射される光量を弱く設定する方法、画像入力手段における、原稿画像より反射された光を検知する受光部の受光時間を短く設定する方法、およびシェーディング補正処理をする際に、基準白板を読み取ることにより得た値を、所定の値よりも小さい値に設定する方法のうち、いずれかの方法により変更する工程と、上記変更された読取条件にて読み取られた画像データに基づいて、所定の特定原稿または特定画素が含まれているか否かを判定する工程とを含むという構成である。
【０１６０】
それゆえ、画像入力手段により読み取られた原稿画像に、例えば、通常の読取条件では読取できない特定原稿や特定画素（例えば、蛍光インク等を用いて形成されている画像等）が含まれているか否かを容易に判定することができるという効果を奏する。すなわち、上記画像処理方法を用いることにより、原稿画像に通常の読取条件では読取できない特定原稿または特定画素が含まれている場合でも、画像入力手段に判定用ランプ（ブラックライト等）を別途に設けることなく、この特定原稿または特定画素を確実に読み取ることができる。したがって、判定用ランプ用の制御や校正処理も不要となる。このため、装置のコストを低減することができるという効果を奏する。
【０１６１】
また、本発明に係るコンピュータープログラムは、以上のように、上記画像処理方法をコンピューターに実行させるためのコンピュータープログラムという構成である。
【０１６２】
それゆえ、上記のコンピュータープログラムを用いることにより、原稿読取の際の読取条件を変更するだけで、原稿画像に蛍光インク等の所定の特定画像、または所定の特定画素が用いられているか否かを、より簡便に判定することができる画像処理方法をコンピューターが読み取り、実行することができる。このため、この画像処理方法をより汎用的なものとすることができるという効果を奏する。
【０１６３】
また、本発明に係る記録媒体は、以上のように、上記プログラムをコンピューターに実行させるコンピュータープログラムを記録した機械読み取り可能な記録媒体という構成である。
【０１６４】
それゆえ、上記記録媒体を用いることにより、原稿読取の際の読取条件を変更するだけで、原稿画像に蛍光インク等の所定の特定画像、または所定の特定画素が用いられているか否かを、より簡便に判定することができる上記画像処理方法のプログラムを容易にコンピューターに供給することができるという効果を奏する。
【図面の簡単な説明】
【図１】本実施の形態に係る画像読取装置の構成を示すブロック図である。
【図２】本実施の形態に係る画像読取装置におけるスキャナ機構部の構成を模式的に示す断面図である。
【図３】本実施の形態に係る、原稿画像に蛍光インクが用いられているか否かを判定する際の処理を示すフローチャートである。
【図４】本実施の形態に係る、高階調検知可能なＣＣＤを用いた場合における、原稿画像に蛍光インクが含まれているか否かの判定の処理を示すフローチャートである。
【図５】本実施の形態に係る画像読取装置におけるスキャナ機構部のＣＣＤラインセンサと増幅器とを示す説明図である。
【図６】本実施の形態に係る画像形成装置の構成を示すブロック図である。
【図７】本実施の形態に係る画像形成装置における、画像出力装置が備えるインクジェット記録装置の構成を模式的に示す透視斜視図である。
【図８】本実施の形態に係る画像形成装置における、画像出力装置が備えるインクジェット記録装置の印字ヘッドのインクタンクを示す斜視図である。
【符号の説明】
７０    画像処理装置
７１    画像入力手段
７４    原稿種別自動判別部
７５    読取制御部
８０    画像読取装置
９０    画像形成装置
１００    画像処理装置
【図１】
2004193781.tif 000007
【図２】
2004193781.tif 000008
【図３】
2004193781.tif 000009
【図４】
2004193781.tif 000010
【図５】
2004193781.tif 000011
【図６】
2004193781.tif 000012
【図７】
2004193781.tif 000013
【図８】
2004193781.tif 000014